(57)【要約】【課題】容易に取付けができる開閉装置を提供する。【解決手段】開閉装置１１は、互いに離間対向したブラケット１４と、このブラケット１４が支持する巻体１５とを備える。また、開閉装置１１は、巻体１５に巻取りおよび巻戻し可能に取り付ける開閉体２１と、巻体１５による開閉体２１の巻取りおよび巻戻しの際に開閉体２１の左右両側を案内するガイドレール２２とを備える。また、開閉装置１１は、ガイドレール２２を固定するガイドレール受け２３を備え、ガイドレール受け２３はブラケット１４に一体に設ける。【選択図】　　　　図１
2004019159.tif 000002
【特許請求の範囲】
【請求項１】
互いに離間対向した状態に配置される左右一対のブラケットと、
これら左右一対のブラケットによって支持される巻体と、
この巻体に巻取りおよび巻戻し可能に取り付けられ、被閉鎖部を開閉する開閉体と、
前記巻体による前記開閉体の巻取りおよび巻戻しの際にこの開閉体の左右両側を案内する左右一対のガイドレールと、
前記ブラケットに設けられ、前記ガイドレールが固定される左右一対のガイドレール受けと
を備えることを特徴とする開閉装置。
【請求項２】
ガイドレール受けは、ブラケットに一体に設けられている
ことを特徴とする請求項１記載の開閉装置。
【請求項３】
ガイドレール受けは、ブラケットに脱着可能に設けられている
ことを特徴とする請求項１記載の開閉装置。
【請求項４】
巻体に巻戻し可能に巻き取られた開閉体を内部に有する１ユニット状の本体ユニットと、
この本体ユニットの前記巻体による前記開閉体の巻取りおよび巻戻しの際にこの開閉体の左右両側を案内する左右一対のガイドレールと、
前記本体ユニットが載置されるとともに、前記ガイドレールが固定される左右一対のガイドレール受けと
を備えることを特徴とする開閉装置。
【請求項５】
第１まぐさを位置決めして被取付部に固定する工程と、
この固定された第１まぐさを基準として、ガイドレール受けがブラケットに一体に設けられた左右一対のレール受け付ブラケット体を位置決めしてから、これら左右一対のレール受け付ブラケット体を前記被取付部に固定する工程と、
この固定された左右一対のレール受け付ブラケット体の前記ブラケットに第２まぐさの両端部を固定してこの第２まぐさと前記第１まぐさとを互いに離間対向させる工程と、
前記固定された左右一対のレール受け付ブラケット体の前記ブラケットに巻体を支持させる工程と、
この支持された巻体に被閉鎖部を開閉する開閉体を巻取りおよび巻戻し可能に取り付ける工程と、
前記固定された左右一対のレール受け付ブラケット体の前記ガイドレール受けに、前記巻体による前記開閉体の巻取りおよび巻戻しの際にこの開閉体の左右両側を案内する左右一対のガイドレールを固定する工程と
を備えることを特徴とする開閉装置の取付方法。
【請求項６】
第１まぐさを位置決めして被取付部に固定する工程と、
この固定された第１まぐさを基準として、ガイドレール受けがブラケットに脱着可能に設けられた左右一対のレール受け付ブラケット体を位置決めしてから、これら左右一対のレール受け付ブラケット体を前記被取付部に固定する工程と、
この固定された左右一対のレール受け付ブラケット体の前記ブラケットに第２まぐさの両端部を固定してこの第２まぐさと前記第１まぐさとを互いに離間対向させる工程と、
前記固定された左右一対のレール受け付ブラケット体の前記ブラケットに巻体を支持させる工程と、
この支持された巻体に被閉鎖部を開閉する開閉体を巻取りおよび巻戻し可能に取り付ける工程と、
前記固定された左右一対のレール受け付ブラケット体の前記ガイドレール受けに、前記巻体による前記開閉体の巻取りおよび巻戻しの際にこの開閉体の左右両側を案内する左右一対のガイドレールを固定する工程と
を備えることを特徴とする開閉装置の取付方法。
【請求項７】
左右一対のガイドレール受けを位置決めして被取付部に固定する工程と、
この固定された左右一対のガイドレール受けに、巻体に巻戻し可能に巻き取られた開閉体を内部に有する１ユニット状の本体ユニットを載置するとともに、前記巻体による前記開閉体の巻取りおよび巻戻しの際にこの開閉体の左右両側を案内する左右一対のガイドレールを固定する工程と
を備えることを特徴とする開閉装置の取付方法。
【発明の詳細な説明】
【０００１】
【発明の属する技術分野】
本発明は、容易に取付けができる開閉装置および開閉装置の取付方法に関する。
【０００２】
【従来の技術】
従来、例えば図７に示す例えばシャッタ装置等の開閉装置１が知られている。
【０００３】
この図７に示す開閉装置１は、互いに離間対向した状態に配置される左右一対のブラケット２と、これら左右一対のブラケット２によって支持される巻体３とを備えている。
【０００４】
また、この開閉装置１は、巻体３に巻取りおよび巻戻し可能に取り付けられ被閉鎖部を開閉する開閉体４と、巻体３による開閉体４の巻取りおよび巻戻しの際にこの開閉体４の左右両側を案内する左右一対のガイドレール５と、このガイドレール５が固定される左右一対のガイドレール受け６とを備えている。
【０００５】
さらに、この開閉装置１は、左右一対のブラケット２間に配置される第１まぐさ７、第２まぐさ８、２本の長手状の補強部材９および図示しないケース体を備えている。
【０００６】
そして、この開閉装置１の取付けは、例えば次のような方法で行われている。
【０００７】
まず、左右一対のブラケット２の位置決めのための位置決め用印を例えば建物の躯体等の被取付部にけがきにより付ける。
【０００８】
次いで、その位置決め用印を基準として左右一対のブラケット２を位置決めしてから、これら左右一対のブラケット２を被取付部に固定する。次いで、その固定された左右一対のブラケット２に第１まぐさ７、第２まぐさ８および補強部材９を固定する。次いで、その固定された左右一対のブラケット２の巻体支持部２ａに巻体３を支持させる。次いで、その支持された巻体３の回転部３ａに開閉体４を取り付ける。
【０００９】
次に、左右一対のガイドレール受け６の位置決めのための位置決め用印を被取付部にけがきにより付ける。
【００１０】
次いで、その位置決め用印を基準として左右一対のガイドレール受け６を位置決めしてから、これら左右一対のガイドレール受け６を被取付部に固定する。次いで、この固定された左右一対のガイドレール受け６に左右一対のガイドレールを固定し、最後に、ケース体をブラケット２に固定する。
【００１１】
【発明が解決しようとする課題】
しかしながら、上記従来の開閉装置１では、例えばブラケット２の位置決めのためのけがきとガイドレール受け６を位置決めのためのけがきとが必ず必要となるため、取付け現場での被取付部に対する取付け作業が煩雑となりがちであり、容易に取付けができないおそれがある。
【００１２】
本発明は、このような点に鑑みなされたもので、容易に取付けができる開閉装置および開閉装置の取付方法を提供することを目的とする。
【００１３】
【課題を解決するための手段】
請求項１記載の開閉装置は、互いに離間対向した状態に配置される左右一対のブラケットと、これら左右一対のブラケットによって支持される巻体と、この巻体に巻取りおよび巻戻し可能に取り付けられ、被閉鎖部を開閉する開閉体と、前記巻体による前記開閉体の巻取りおよび巻戻しの際にこの開閉体の左右両側を案内する左右一対のガイドレールと、前記ブラケットに設けられ、前記ガイドレールが固定される左右一対のガイドレール受けとを備えるものである。
【００１４】
そして、ガイドレール受けをブラケットに設けることで、ブラケットとガイドレール受けとを１つの部材として取り扱うことができるので、従来に比べて取付け現場での被取付部に対する取付け作業が簡単となり、取付けが容易となる。
【００１５】
請求項２記載の開閉装置は、請求項１記載の開閉装置において、ガイドレール受けは、ブラケットに一体に設けられているものである。
【００１６】
そして、ガイドレール受けをブラケットに一体に設けることで、例えばブラケットとガイドレール受けとが不用意に分離してしまうことがなく、ブラケットとガイドレール受けとを確実に１つの部材として取り扱うことが可能となる。
【００１７】
請求項３記載の開閉装置は、請求項１記載の開閉装置において、ガイドレール受けは、ブラケットに脱着可能に設けられているものである。
【００１８】
そして、ガイドレール受けをブラケットに脱着可能に設けることで、例えば多様な取付け現場に適切に対応することが可能となる。
【００１９】
請求項４記載の開閉装置は、巻体に巻戻し可能に巻き取られた開閉体を内部に有する１ユニット状の本体ユニットと、この本体ユニットの前記巻体による前記開閉体の巻取りおよび巻戻しの際にこの開閉体の左右両側を案内する左右一対のガイドレールと、前記本体ユニットが載置されるとともに、前記ガイドレールが固定される左右一対のガイドレール受けとを備えるものであり、従来に比べて取付け現場での被取付部に対する取付け作業が簡単となり、取付けが容易となる。
【００２０】
請求項５記載の開閉装置の取付方法は、第１まぐさを位置決めして被取付部に固定する工程と、この固定された第１まぐさを基準として、ガイドレール受けがブラケットに一体に設けられた左右一対のレール受け付ブラケット体を位置決めしてから、これら左右一対のレール受け付ブラケット体を前記被取付部に固定する工程と、この固定された左右一対のレール受け付ブラケット体の前記ブラケットに第２まぐさの両端部を固定してこの第２まぐさと前記第１まぐさとを互いに離間対向させる工程と、前記固定された左右一対のレール受け付ブラケット体の前記ブラケットに巻体を支持させる工程と、この支持された巻体に被閉鎖部を開閉する開閉体を巻取りおよび巻戻し可能に取り付ける工程と、前記固定された左右一対のレール受け付ブラケット体の前記ガイドレール受けに、前記巻体による前記開閉体の巻取りおよび巻戻しの際にこの開閉体の左右両側を案内する左右一対のガイドレールを固定する工程とを備えるものであり、従来に比べて取付け現場での被取付部に対する取付け作業が簡単となり、取付けが容易となる。
【００２１】
請求項６記載の開閉装置の取付方法は、第１まぐさを位置決めして被取付部に固定する工程と、この固定された第１まぐさを基準として、ガイドレール受けがブラケットに脱着可能に設けられた左右一対のレール受け付ブラケット体を位置決めしてから、これら左右一対のレール受け付ブラケット体を前記被取付部に固定する工程と、この固定された左右一対のレール受け付ブラケット体の前記ブラケットに第２まぐさの両端部を固定してこの第２まぐさと前記第１まぐさとを互いに離間対向させる工程と、前記固定された左右一対のレール受け付ブラケット体の前記ブラケットに巻体を支持させる工程と、この支持された巻体に被閉鎖部を開閉する開閉体を巻取りおよび巻戻し可能に取り付ける工程と、前記固定された左右一対のレール受け付ブラケット体の前記ガイドレール受けに、前記巻体による前記開閉体の巻取りおよび巻戻しの際にこの開閉体の左右両側を案内する左右一対のガイドレールを固定する工程とを備えるものであり、従来に比べて取付け現場での被取付部に対する取付け作業が簡単となり、取付けが容易となる。
【００２２】
請求項７記載の開閉装置の取付方法は、左右一対のガイドレール受けを位置決めして被取付部に固定する工程と、この固定された左右一対のガイドレール受けに、巻体に巻戻し可能に巻き取られた開閉体を内部に有する１ユニット状の本体ユニットを載置するとともに、前記巻体による前記開閉体の巻取りおよび巻戻しの際にこの開閉体の左右両側を案内する左右一対のガイドレールを固定する工程と備えるものであり、従来に比べて取付け現場での被取付部に対する取付け作業が簡単となり、取付けが容易となる。
【００２３】
【発明の実施の形態】
以下、本発明の開閉装置の第１の実施の形態の構成を図面を参照して説明する。
【００２４】
図１ないし図４において、１１は開閉装置で、この開閉装置１１は、例えば建物の躯体等の被取付部１２に取り付けられるシャッタ装置等である。
【００２５】
この開閉装置１１は、図１等に示されるように、互いに離間対向した状態に配置される略板状の左右一対のブラケット１４と、これら左右一対のブラケット１４によって水平状に支持される略軸状の巻体１５とを備えている。なお、この巻体１５は、例えば軸部１６とこの軸部１６に回転可能に設けられた回転部１７とにて構成されている。
【００２６】
また、この開閉装置１１は、巻体１５に巻取りおよび巻戻し可能に取り付けられ例えば窓開口部等の被閉鎖部２０を開閉する例えばシャッタカーテン等の開閉体２１と、巻体１５による開閉体２１の巻取りおよび巻戻しの際にすなわち例えば上昇および下降の際に開閉体２１の左右両側の縁部を案内する上下方向に長手状の左右一対のガイドレール２２とを備えている。
【００２７】
さらに、この開閉装置１１は、対応するガイドレール２２が例えば嵌合により固定される上下方向に長手状の左右一対のガイドレール受け２３を備えている。このガイドレール受け２３は、例えばブラケット１４に分離不能に一体に設けられている。すなわち、この開閉装置１１は、ガイドレール受け２３がブラケット１４に一体に設けられた左右一対のレール受け付ブラケット体２４を備えている。
【００２８】
また、この開閉装置１１は、左右方向に長手状で断面略Ｃ字状の第１まぐさ（被取付部１２側の外まぐさ）２６および第２まぐさ（反被取付部１２側の内まぐさ）２７と、左右方向に長手状で断面略Ｃ字状の複数、例えば２本の補強部材（ケース補強）２８と、巻き取られた略円筒状の開閉体２１等を覆うケース体２９とを備えている。これら第１まぐさ２６、第２まぐさ２７、補強部材２８およびケース体２９は、それぞれ左右一対のブラケット２間にこれらブラケット２を跨ぐように配置される。
【００２９】
ここで、レール受け付ブラケット体２４のブラケット１４は、例えば略板状の本体板部３１を有し、この本体板部３１の内面の周縁からは突出板部３２が内方に向って一体に突出している。
【００３０】
また、この本体板部３１の内面の略中央には、巻体１５の軸部１６の端部が固定される巻体支持部である軸受け部３３が一体に設けられている。この本体板部３１の内面の下端には、第２まぐさ２７の端部が固定される断面略Ｌ字状のまぐさ受け部３４が一体に設けられている。そして、この本体板部３１の下端の被取付部１２側の部分からガイドレール受け２３が下方に向って一体に突出している。
【００３１】
このガイドレール受け２３は、例えば上下方向に長手状で略板状の本体板部３６を有し、この本体板部３６の両側縁からは突出量の異なる突出板部３７が被取付部１２側とは反対側に向って突出している。
【００３２】
また、このガイドレール受け２３にて受け止められるガイドレール２２は、例えばガイドレール受け２３の突出板部３７に嵌合される略コ字状の嵌合部４１を有している。また、このガイドレール２２は、第１まぐさ２６および第２まぐさ２７間を通って昇降する開閉体２１の左右両側の縁部を案内する断面略Ｃ字状の案内部４２を有し、この案内部４２は嵌合部４１に一体に設けられている。この案内部４２には、被閉鎖部２０に向って開口し開閉体２１の側縁部が挿入される挿入口４３が形成されている。
【００３３】
なお、開閉体２１は、例えば複数枚のスラット４５等にて構成され、基端のスラット４５には巻体１５の回転部１７に取り付けられている取付部４６が設けられている。
【００３４】
次に、上記開閉装置１１を取付け現場において被取付部１２に取り付ける工程について説明する。
【００３５】
まず、第１まぐさ２６の位置決めのための位置決め用印を被取付部１２に例えばけがき等により付ける。
【００３６】
次いで、その位置決め用印を基準として第１まぐさ２６をこの第１まぐさ２６の開口２６ａを被取付部１２側とは反対側に向けた状態として位置決めしてから、この第１まぐさ２６を被取付部１２に固定する。
【００３７】
次いで、この固定された第１まぐさ２６を基準として左右一対のレール受け付ブラケット体２４を左右に互いに離間対向させた状態として平行度および垂直度を確認しつつ位置決めしてから、これら左右一対のレール受け付ブラケット体２４を被取付部１２に固定する。
【００３８】
次いで、固定された左右一対のレール受け付ブラケット体２４のブラケット部であるブラケット１４のまぐさ受け部３４に第２まぐさ２７の両端部を固定し、第１まぐさ２６と第２まぐさ２７とを前後に互いに離間対向させる。なお、第２まぐさ２７も、第１まぐさ２６と同様、第２まぐさ２７の開口２７ａを被取付部１２側とは反対側に向けた状態にする。
【００３９】
次いで、固定された左右一対のレール受け付ブラケット体２４のブラケット１４の上端の角部に２本の補強部材２８の両端部を固定し、これら２本の補強部材２８を前後に互いに離間対向させる。なお、各補強部材２８はその開口２８ａを被取付部１２側に向けた状態にする。
【００４０】
次に、固定された左右一対のレール受け付ブラケット体２４のブラケット１４の軸受け部３３に巻体１５の軸部１６の両端部を固定することにより、ブラケット１４の軸受け部３３に巻体１５を支持させる。
【００４１】
次いで、この支持された巻体１５の回転部１７に開閉体２１の取付部４６を取り付けることにより、巻体１５の回転部１７に開閉体２１を巻取りおよび巻戻し可能に取り付ける。
【００４２】
次いで、固定された左右一対のレール受け付ブラケット体２４のガイドレール受け２３の突出板部３７に左右一対のガイドレール２２の嵌合部４１を嵌合することにより、レール受け付ブラケット体２４のガイドレール受け２３にガイドレール２２を固定する。
【００４３】
その後、ケース体２９をブラケット１４に固定する等して開閉装置１１の取付けが完了する。
【００４４】
そして、上記第１の実施の形態によれば、例えば工場等で予めガイドレール受け２３がブラケット１４に一体に設けられたレール受け付ブラケット体２４ａを用いることで、ブラケット１４とガイドレール受け２３とを１つの部材として取り扱うことができ、また、第１まぐさ２６に関してのみけがきをすればよく、例えばブラケット２の位置決めのためのけがきとガイドレール受け６を位置決めのためのけがきとの両方を別々にしなければならない従来に比べて、施工工数が減少し、取付け現場での被取付部１２に対する取付け作業が簡単となり、容易に取付けができ、例えば施工時間の短縮化を実現できる。
【００４５】
次に、本発明の開閉装置の第２の実施の形態を図５を参照して説明する。
【００４６】
この図５に示す開閉装置１１は、図１に示す開閉装置１１とは構成が異なるレール受け付ブラケット体２４ａを備えている。その他の構成部材は、図１に示す開閉装置１１の構成部材と基本的に同一である。
【００４７】
このレール受け付ブラケット体２４ａは、ガイドレール受け２３とブラケット１４とが一体で互いに分離不能なレール受け付ブラケット体２４とは異なり、ガイドレール受け２３がブラケット１４のレール受け取付部１４ａに脱着可能に取り付けられ、ガイドレール受け２３とブラケット１４とが互いに分離可能となっている。
【００４８】
すなわち、図５に示されるように、レール受け付ブラケット体２４ａのブラケット１４の本体板部３１には、例えば外周面にねじ溝が形成された上下２つの取付用突部５１が内方に向って突出した状態に一体に設けられている。この取付用突部５１にてレール受け取付部１４ａが構成されている。
【００４９】
また、レール受け付ブラケット体２４ａのガイドレール受け２３の突出板部３７の上端部には、取付用突部５１が挿通される挿通孔部５２が形成されている。そして、ブラケット１４のレール受け取付部１４ａにガイドレール受け２３を取り付ける場合、挿通孔部５２に取付用突部５１を挿通してから、この取付用突部５１のねじ溝にねじ５３をねじ込む。一方、ブラケット１４のレール受け取付部１４ａからガイドレール受け２３を取り外す場合、ねじ５３を外してから、取付用突部５１を挿通孔部５２から抜き出す。
【００５０】
次に、この図５に示す開閉装置１１を取付け現場において被取付部１２に取り付ける工程について説明する。なお、上述した図１に示す開閉装置１１の場合と基本的には同じである。
【００５１】
まず、第１まぐさ２６の位置決めのための位置決め用印を被取付部１２に付ける。
【００５２】
次いで、その位置決め用印を基準として第１まぐさ２６を位置決めしてから、この第１まぐさ２６を被取付部１２に固定する。
【００５３】
次いで、固定された第１まぐさ２６を基準として左右一対のレール受け付ブラケット体２４ａを平行度および垂直度を確認しつつ位置決めしてから、これら左右一対のレール受け付ブラケット体２４ａを被取付部１２に固定する。
【００５４】
次いで、固定された左右一対のレール受け付ブラケット体２４ａのブラケット１４に第２まぐさ２７の両端部を固定してこの第２まぐさ２７と第１まぐさ２６とを前後に互いに離間対向させるとともに、この固定された左右一対のレール受け付ブラケット体２４ａのブラケット１４に２本の補強部材２８の両端部を固定する。
【００５５】
次いで、固定された左右一対のレール受け付ブラケット体２４ａのブラケット１４に巻体１５を支持させてから、この支持された巻体１５に被閉鎖部２０を開閉する開閉体２１を巻取りおよび巻戻し可能に取り付ける。
【００５６】
次いで、固定された左右一対のレール受け付ブラケット体２４ａのガイドレール受け２３に、巻体１５による開閉体２１の巻取りおよび巻戻しの際にこの開閉体２１の左右両側を案内する左右一対のガイドレール２２を固定する。その後、ケース体２９をブラケット１４に固定する等して開閉装置１１の取付けが完了する。
【００５７】
そして、上記第２の実施の形態によれば、例えば工場等で予めガイドレール受け２３をブラケット１４のレール受け取付部１４ａに脱着可能に取り付けておいたレール受け付ブラケット体２４ａを用いることで、ブラケット１４とガイドレール受け２３とを１つの部材として取り扱うことができ、また、第１まぐさ２６に関してのみけがきをすればよく、例えばブラケット２の位置決めのためのけがきとガイドレール受け６を位置決めのためのけがきとの両方を別々にしなければならない従来に比べて、施工工数が減少し、取付け現場での被取付部１２に対する取付け作業が簡単となり、容易に取付けができ、例えば施工時間の短縮化を実現できる。
【００５８】
また、ガイドレール受け２３がブラケット１４に脱着可能に設けられて、ガイドレール受け２３とブラケット１４とが互いに分離可能となっているので、ガイドレール受け２３をブラケット１４から一旦取り外すことができ、例えば多様な取付け現場に適切に対応できる。
【００５９】
次に、本発明の開閉装置の第３の実施の形態を図６を参照して説明する。
【００６０】
この図６に示す開閉装置１１は、例えば工場等で予め組立てられた１ユニット状の本体ユニット６１を備えている。この本体ユニット６１は、巻体およびこの巻体に巻戻し可能に巻き取られた開閉体を内部に有しているとともに、第１まぐさ、第２まぐさおよび補強部材を内部に有している。なお、巻体、開閉体、第１まぐさ、第２まぐさおよび補強部材等は、図６では図示されていないが、図１等に示すものと基本的に同一である。
【００６１】
また、この開閉装置１１は、本体ユニット６１の巻体による開閉体の巻取りおよび巻戻しの際にすなわち例えば上昇および下降の際に開閉体の左右両側の縁部を案内する上下方向に長手状の左右一対のガイドレール６２と、本体ユニット６１が上方から載置されるとともに対応するガイドレール６２が固定される左右一対のガイドレール受け６３とを備えている。
【００６２】
このガイドレール受け６３は、例えば上下方向に長手状で略板状の本体板部６５を有し、この本体板部６５の両側縁からは突出量の異なる突出板部６６が被取付部１２側とは反対側に向って突出している。この本体板部６５の上端部には、例えばフック状に形成された上下２つの載置部６７が、被取付部１２側とは反対側に向って突出した状態に切り起し等にて一体に設けられている。
【００６３】
また、このガイドレール受け６３にて受け止められるガイドレール６２は、例えばガイドレール受け６３の突出板部６６に嵌合される略コ字状の嵌合部７１を有している。また、このガイドレール６２は、第１まぐさおよび第２まぐさ間を通って昇降する開閉体の左右両側の縁部を案内する断面略Ｃ字状の案内部７２を有し、この案内部７２は嵌合部７１に一体に設けられている。この案内部７２には、被閉鎖部２０に向って開口し開閉体の側縁部が挿入される挿入口７３が形成されている。
【００６４】
次に、この図６に示す開閉装置１１を取付け現場において被取付部１２に取り付ける工程について説明する。
【００６５】
まず、左右一対のガイドレール受け６３の位置決めのための位置決め用印を被取付部１２に例えばけがき等により付ける。
【００６６】
次いで、その位置決め用印を基準として左右一対のガイドレール受け６３を平行度および垂直度を確認しつつ位置決めしてから、これら左右一対のガイドレール受け６３を被取付部１２に固定する。
【００６７】
次いで、固定された左右一対のガイドレール受け６３に、巻体に巻戻し可能に巻き取られた開閉体を内部に有する１ユニット状の本体ユニット６１を載置部６７に上方から引っ掛けるようにして載置する。すなわち、ガイドレール受け６３の載置部６７上に本体ユニット６１を載せる。
【００６８】
次いで、固定された左右一対のガイドレール受け６３に、巻体による開閉体の巻取りおよび巻戻しの際にこの開閉体の左右両側を案内する左右一対のガイドレール６２を固定し、開閉装置１１の取付けが完了する。
【００６９】
そして、上記第３の実施の形態によれば、例えば工場等で、巻体、開閉体、第１まぐさ、第２まぐさ、補強部材、ブラケットおよびケース等を予め組立てて一体型ボックスである１ユニット状にしておいた本体ユニット６１を用いるため、例えばブラケット２の位置決めのためのけがきとガイドレール受け６を位置決めのためのけがきとの両方を別々にしなければならない従来に比べて、施工工数が減少し、取付け現場での被取付部１２に対する取付け作業が簡単となり、容易に取付けができ、例えば施工時間の短縮化を実現できる。
【００７０】
なお、開閉装置１は、シャッタ装置には限定されず、例えば、ロールブラインド装置、ロールスクリーン装置、防煙たれ幕装置等、或いは、これら装置のうちの同種または異種を複数並設したものでもよい。
【００７１】
また、開閉体２１をシャッタカーテンとした場合は、複数のスラット４５等を用いる構成には限定されず、パネル、パイプ、シート、ネット等を用いる構成や、これらを適宜組み合わせた構成、１枚のシート部材や１枚の板状部材にて形成した構成等でもよい。
【００７２】
【発明の効果】
本発明によれば、従来に比べて取付け現場での被取付部に対する取付け作業が簡単となり、容易に取付けができる。
【図面の簡単な説明】
【図１】本発明の開閉装置の第１の実施の形態を示す分解斜視図である。
【図２】同上開閉装置の正面図である。
【図３】同上開閉装置の縦断面図である。
【図４】同上開閉装置の横断面図である。
【図５】本発明の開閉装置の第２の実施の形態を示す分解斜視図である。
【図６】本発明の開閉装置の第３の実施の形態を示す分解斜視図である。
【図７】従来の開閉装置の分解斜視図である。
【符号の説明】
１１　　開閉装置
１２　　被取付部
１４　　ブラケット
１５　　巻体
２０　　被閉鎖部
２１　　開閉体
２２　　ガイドレール
２３　　ガイドレール受け
２４，２４ａ　　レール受け付ブラケット体
２６　　第１まぐさ
２７　　第２まぐさ
６１　　本体ユニット
６２　　ガイドレール
６３　　ガイドレール受け
【図１】
2004019159.tif 000003
【図２】
2004019159.tif 000004
【図３】
2004019159.tif 000005
【図４】
2004019159.tif 000006
【図５】
2004019159.tif 000007
【図６】
2004019159.tif 000008
【図７】
2004019159.tif 000009